(57)【要約】【課題】  バルコニー等に設けられた手摺支柱の補修法に関し、支柱の腐食、及びそれに伴う支柱取付け壁の汚染や脱落等を予防する支柱の補修法を提供すること。【解決手段】  次の各工程からなる支柱の補修法により補修を行う、  （１）中空支柱１１の根元部に所定径の穴１１０を穿設する工程。  （２）前記穴１１０から前記中空支柱１１内に溜まっている水Ｘ０を抜き取る工程。  （３）前記水を抜き取った後に、前記穴１１０から硬化性樹脂３１を注入し前記中空支柱１１内に充填する工程。【選択図】      図４
2005213740.tif 000002
【特許請求の範囲】
【請求項１】
次の各工程からなる支柱の補修法、
（１）中空支柱の根元部に所定径の穴を穿設する工程。
（２）前記穴から前記中空支柱内に溜まっている水を抜き取る工程。
（３）前記水を抜き取った後に、前記穴から硬化性樹脂を注入し前記中空支柱内に充填する工程。
【請求項２】
前記工程（３）後に前記支柱に設けた穴を開放した状態、あるいは前記穴を塞いだ状態として作業を完了することを特徴とする請求項１に記載の支柱の補修法。
【請求項３】
前記硬化性樹脂は、エポキシ樹脂であることを特徴とする請求項１又は２記載の支柱の補修法。
【請求項４】
前記支柱は、手摺支柱であることを特徴とする請求項１〜３の何れか１項記載の支柱の補修法。
【発明の詳細な説明】
【技術分野】
【０００１】
この発明は、支柱の補修法に係り、特に金属製管体からなる手摺支柱の補修に好適な支柱の補修法に関する。
【背景技術】
【０００２】
公共住宅、マンション等の集合住宅のバルコニーには、人、物等が誤って落ちないように、或は外部から室内に不法な侵入物がないように手摺が設けられている。
この手摺は、支柱、笠木、補強材及びアンカープレート等の部材からなり、各部材は、アルミニウム合金、鉄等の金属材で形成され、これらの部材のうち、支柱は、通常、中空の管体で作られている。
【０００３】
図５は、集合住宅のバルコニー等に設置されている公知の手摺支柱を示す断面図である。この手摺支柱１０は、金属製中空支柱１１と、この中空支柱１１に連結された下弦材１２及び笠木１３と、中空支柱１１を固定するアンカープレート１４と、このアンカープレート１４に固定され中空支柱１１内に挿入固定される鉄補強材１５とからなっている。鉄補強材１５は、アンカープレート１４に溶接等１７により固定されている。
この手摺支柱１０は、バルコニー等に鉄補強材１５を取り付けたアンカープレート１４をバルコニー等のコンクリート１８に埋め込み、鉄補強材１５の上端に中空支柱１１を差し込んでその周囲をコンクリート１８で覆い固めて取り付けられている。なお、鉄補強材１５と中空支柱１１とは、その結合を堅固にするために嵌入結合だけでなく溶接等によって固定される場合もある。また、中空支柱１１には、下弦材１２及び笠木１３が取り付けられる。
【０００４】
ところが、このような手摺は、風雨に晒されるところに設置されているので、長年風雨に晒されていると、支柱、下弦材、笠木、アンカープレート、補強材等は外部が劣化等により腐食し始め、中でも管体で形成されている支柱１１内には、腐食箇所或は各部材の結合箇所から雨水が浸入し、加えて管体内の空気が結露水となることにより管体内に雨水等が溜まってしまう。このように雨水等が支柱内に溜まると、この雨水等によって、金属製の管体は内部からも腐食され、また寒冷地では冬季に管体内の雨水等が凍って体積が膨張し管体が破裂されて、この部分から雨水が入って管体の腐食が更に進行され、その結果、支柱が脆く折れ易くなり、手摺の機能を果たさなくなり、ときに人命に係わる大きな事故につながる恐れがある。
このため、脆くなった支柱は、安全対策上、何らかの対策を講じる必要があるが、これまでの対策は、概ね、（１）全体を新しい手摺に交換する方法、或は（２）予め雨水対策を施した手摺支柱を用いて設置する方法、更に（３）支柱の欠損部分を補修する方法が採用されている。（例えば、特許文献１、２参照。）。
【０００５】
そして、上記（１）〜（３）の方法のうち、上記（１）の全体を新しい手摺に交換する方法は、耐用年数が過ぎ寿命が尽きたものとして採用されている方法であって、これまでの対策の主流をなすものである。
【０００６】
また、下記特許文献１は、上記（２）に区分されるもので、図６は、この特許文献に記載された手摺支柱を示す断面図である。
この手摺支柱１００は、アルミニウム中空支柱１０１の内部に鉄補強材１０２を配設する手摺支柱であって、鉄補強材１０２下方にアルミニウム中空支柱１０１下端を閉塞するエンドプレート１０３を設け、アルミニウム中空支柱１０１と鉄補強材１０２間に発砲材１０４を充填したものである。
【０００７】
更に、下記特許文献２は、上記（３）に区分されるもので、図７は、この特許文献に記載された欠損部分の補修方法を説明する断面図である。
この補修方法は、鋼管製柱脚部１１０の欠損した部位１１１の上下にわたる柱脚部内に伸長状態の長尺棒状補強材１１２を配して硬化性組成物１１５を充填硬化させ欠損部位１１１を補修する方法であって、柱脚部の欠損部位１１１より高い位置に長尺棒状補強材１１２と硬化性組成物１１５の挿入口１１３、１１４を開口し、これらの挿入口１１３、１１４より長尺棒状補強材１１２と硬化性組成物１１５とを挿入し、長尺棒状補強材１１２を内包した状態で硬化性組成物１１５を硬化させて補修する方法である。
【０００８】
【特許文献１】実開平５−５２０６３号（図１、実用新案登録請求の範囲）
【特許文献２】特開平７−２９２９９９号（図５、段落［００１４］〜［００２０］）
【発明の開示】
【発明が解決しようとする課題】
【０００９】
しかしながら、上記（１）の全体を新しい手摺に交換する方法は、ベランダ部分の大掛かりな作業となり、工期的に長期間を要するとともに、その工費も多額になってしまう。また、全体を取替える作業となるので、部分的にのみ補修を要する支柱であっても、全体の補修時期まで放置することになり、安全上望ましいものではない。
【００１０】
また、上記（２）の予め雨水対策を施した手摺支柱を用いて設置する方法、例えば下記特許文献１に記載されている手摺支柱は、アルミニウム中空支柱とその内部の鉄補強材とは、エンドプレートで中空支柱下端を閉塞してから発砲材を両者間に注入して、この発砲材で隙間を充填することにより、ガタツキなく固定できる。また、鉄補強材はその外周がこの発砲材で被覆され、水分や空気に触れることがないので腐食することも防止できる。しかし、この手摺支柱は、上記（１）の方法のように新しい手摺と取替える、或いは新規に設置する場合は、雨水対策が講じられて有効となるが、既に設置されている既存の支柱への対策とはなり得ない。
【００１１】
更に、上記（３）の支柱の欠損部分を補修する方法、例えば下記特許文献２に記載された補修方法は、欠損した状態での対応であり、大掛かりな作業が必須となり、欠損する前の予防対策とはなり得ない。
【００１２】
本発明者らは、長年、アパート、マンション等の集合住宅の補修に係わり、最近、図５に示すように、手摺付近のコンクリート１８に塗布されたペンキ等からなる塗膜１９が金属材の錆びで汚れ美観を損ねていること、或いはこの塗膜１９が剥がれ落ちていることに気付き、その原因を探求して来た。その結果、通常では想定できないことであったが、築後、１０年以上経った手摺支柱内に雨水等Ｘ０が溜まっており、この雨水等Ｘ０がコンクリート壁１８内を浸透し、Ｘ１部付近で染み出し汚染及びペンキ剥がれを起していることを見つけ出した。その際、外見からみて錆びがひどくなく、破損等を見つけ難い手摺でも、支柱内に水が溜まっていたものが多くあった。これは、手摺を構成する部材の結合部、或いは外気温度差による結露が原因となって、雨水及び結露水が長い年月の間に蓄積して溜まるものとみられる。
【００１３】
更に、手摺内部に溜まった水がコンクリート表面に染み出すと、コンクリートの強度を保っている石灰質が洗い流されてしまうことに加え、コンクリート内の鉄筋を錆びさせてしまうことから鉄筋が膨張するため、最悪の場合、鉄筋の膨張に耐えられなくなったコンクリートが爆裂現象を起こし、手摺付近のコンクリートが脱落してしまうという危険性があることを見出した。そこで、本発明者らは、長年風雨に晒されて来た手摺は、定期的な保守点検及び補修が必要であることに想到し、本発明を完成させるに至ったものである。
【００１４】
そこで、本発明の目的は、支柱の腐食、及びそれに伴う支柱取付け壁の汚染や脱落等を予防する手摺支柱の補修法を提供することにある。
【課題を解決するための手段】
【００１５】
前記発明の目的を達成するために、本願の請求項１に係る発明の支柱の補修法は、次の各工程からなることを特徴とする。
（１）中空支柱の根元部に所定径の穴を穿設する工程。
（２）前記穴から前記中空支柱内に溜まっている水を抜き取る工程。
（３）前記水を抜き取った後に、前記穴から硬化性樹脂を注入し前記中空支柱内に充填する工程。
【００１６】
請求項２に係る発明は、請求項１に記載の支柱の補修法において、前記工程（３）後に前記支柱に設けた穴を開放した状態、あるいは前記穴を塞いだ状態として作業を完了することを特徴とする。
【００１７】
請求項３に係る発明は、請求項１又は２に記載の支柱の補修法において、前記樹脂は、エポキシ樹脂であることを特徴とする。
【００１８】
請求項４に係る発明は、請求項１〜３の何れか１項記載の支柱の補修法において、前記支柱は、手摺支柱であることを特徴とする。
【発明の効果】
【００１９】
請求項１に記載の発明によれば、作業が極めて簡単で工期が短く、安全性が高く、費用も大幅に低減できる。また部分的な補修が可能であるので、手摺の不要な全取換えを回避することもでき経済的になる。
すなわち、保守点検により雨水等の貯留が発見されたとき、タイムリーに支柱内から雨水等が抜き取られるので、貯留された雨水等に起因する障害を予防乃至防止することができる。
【００２０】
請求項２に記載の発明によれば、支柱に設けた穴をそのまま開放した状態としても、塞ぐようにしてもよく、前記穴を開放した状態とする事により補修以降に支柱内に入り込んだ雨水等を支柱外部へ流しだすようになり、補修後に支柱内に雨水等が溜まることがなくなるし、前記穴を塞ぐようにすれば、美観を損ねることなく支柱本体、支柱を取り付けたコンクリート及びその塗膜の補修を行うことができるようになる。
【００２１】
請求項３に記載の発明によれば、エポキシ樹脂は、入手が簡単であり、扱い易く、補修作業が簡単になる上、コンクリートのひび割れ部分の補修効果や、良好な支柱内の水の追い出しを行うことができる。
【００２２】
請求項４に記載の発明によれば、雨水等がコンクリートから染み出す前に抜き取ることにより、コンクリート表面の塗膜の錆び等による汚染をなくし、また、塗膜が剥がれてしまうことも防止できる。また、金属製管体の腐食の進行、或は寒冷地で雨水等が凍って膨張し管体が破裂するのを阻止できる。
更に、雨水等の抜き取った支柱内に樹脂を注入することにより、補修以降に再び雨水等が支柱内に浸入してもコンクリート内に染み出すことがなくなり、コンクリート部分の脱落等を防止することができるようになる。
【発明を実施するための最良の形態】
【００２３】
以下、本発明の好適な実施の形態を図面を参照しながら説明する。但し、以下に説明する実施形態は、本発明の技術思想を具体化するための手摺支柱の補修法を例示するものであって、本発明をこれらに限定することを意図するものではなく、特許請求の範囲に含まれるその他の実施形態のものも等しく適用し得るものである。
【００２４】
図１は、本発明の支柱補修法の対象とする手摺支柱の断面図、図２〜４は、図１の手摺支柱を用い補修法の手順を説明する断面図である。
【実施例】
【００２５】
この支柱補修法の対象とする手摺支柱１０は、図５に示した従来技術の手摺支柱を用いる。したがって、手摺支柱の構成は、既に説明したので重複説明を避け、以下には補修法について説明する。なお、図１〜４の手摺支柱では、アンカープレート１４に予め添え板１６を当てて鉄補強材１５が溶接等１７により固定されている。
【００２６】
長年風雨に晒されてきた手摺支柱１０の中空支柱１１内には、図１に示すように、手摺の腐食部分、或いは各部材の結合部、更には外気温度差による結露等が原因となって、雨水及び結露水（以下、雨水等という）が蓄積して溜まっている。支柱内に雨水等が溜まっているか否かは、外見から見つけ難いケースが多い。しかし、前述したように手摺が設置された付近のコンクリート１８の塗膜１９が金属材の錆びで汚れている、或いは塗膜１９が剥がれ落ちているような場合は、概ね、支柱１１内に雨水等が溜まっていて、この雨水等がコンクリートを浸透して外部へ染み出していることに起因している場合が多い。したがって、定期的な保守点検により、雨水等の貯留状況を監視し、以下の補修を行う。
【００２７】
そこで、この溜まった雨水等Ｘ０を抜くために、図２に示すように、先ず、中空支柱１１の根元部分にドリル等の工具を使用して、所定大きさの穴１１０、例えば直径９ｍｍの穴をあける。根元部分は、鉄補強材１５の上部に近接した箇所が好ましい。通常、鉄補強材の高さは、１２〜１３ｃｍとなっている。中には高いもので３０ｃｍ、或いはそれ以上のものもあるが、このような高い補強材１５の場合は、補強材を貫通する穴を設けることになる。ちなみに、この穴１１０は作業中及び作業後の危険性をなくすため、予め鑢等を用いて面取りを行っておくと良い。
【００２８】
この穴あけ作業において、中空支柱１１の穴あけ位置より上位まで中空支柱１１内に雨水等が溜まっていると、中空支柱１１に穴１１０をあけた途端に、この穴１１０から雨水等が勢いよく噴出するので、この部分の雨水は放置しておいても自然に穴から放出される。
この自然放出が終わった後に、この穴１１０に吸引ポンプ２０のホース２１を挿入し、中空支柱１１内に残っている雨水等を抜き取る。このとき使用するポンプ２０は、公知のポンプを使用することが可能であるが、吸引ホース２１が穴１１０内に容易に挿入でき、中空支柱１１の下端部まで届きやすい形状のポンプを使用することが好ましい。
【００２９】
中空支柱１１から雨水等を吸引ポンプ２０で抜き取った後に、注入ポンプ３０を使用して穴１１０から中空支柱１１に樹脂３１を注入し、鉄補強材１５及び支柱１１内の雨水等が溜まる空隙を無くすると共に、補修以降に支柱１１内に浸入してくる雨水等がこの穴１１０から外部に流れ出るように、穴１１０の下端ぎりぎりまで充填する。注入する樹脂は、補修用注入エポキシ樹脂が好ましく、常温硬化型の例えばエポキシ系樹脂を主体とする硬化樹脂であっても、ビニルエステル樹脂、不飽和ポリエステル樹脂等の熱硬化性樹脂、ポリエチレン、ポリプロピレン等の熱可塑性樹脂でもよい。
【００３０】
このようにエポキシ樹脂を注入した場合、エポキシ樹脂が液体であることから、雨水等がコンクリート１８を染み出すときにコンクリート１８の石灰質を洗い流してしまったためにできたひび割れ部分にもエポキシ樹脂が染み渡り、ひび割れを補修するようになるほか、吸引ポンプ２０で吸引し切れずに鉄補強材１５の下部に溜まった雨水等もエポキシ樹脂が水に比べて比重が大きいためにエポキシ樹脂の上に持ち上げられ、穴１１０から流れ出るようになる。
【００３１】
樹脂を注入した支柱１１は、補修後も補修時に設けられた穴１１０を開放した状態としておけば補修以降に支柱１１内に入り込んだ雨水等をその穴１１０から排出するようになり、再び補修を行う必要がなく、また、エポキシ樹脂により支柱１１の底部が底上げされたことによりコンクリート１８に雨水等が染み込む危険性もなく好ましい。ただし、美観等の観点から穴１１０を塞ぐようにしてもよく、この場合もエポキシ樹脂により雨水等がコンクリート１８に染み込むことはないため、コンクリート１８の脱落や、塗膜１９の剥がれ等を防止することができるようになる。
【００３２】
この支柱補修法は、作業が極めて簡単で工期が短く、安全性が高く、費用も大幅に低減できる。更に部分的な補修が可能である為、手摺の不要な全取換えを回避することもでき経済的になる。
すなわち、保守点検により雨水等の貯留が発見されたとき、タイムリーに支柱内から雨水等が抜き取られるので、貯留された雨水等に起因する障害を予防乃至防止することができる。たとえば、雨水等がコンクリートから染み出す前に抜き取られることにより、コンクリート表面の塗膜の錆び等による汚染をなくし、また、塗膜が剥がれてしまうことも防止できる。また、金属製管体の腐食の進行、或は寒冷地で雨水等が凍って膨張し管体が破裂するのを阻止できる。
【００３３】
更に、雨水等を抜き取った支柱内に樹脂を注入することにより、補修以降に支柱内に侵入した水を常に穴から筒外に排出するようになるため、補修が終了した支柱を長持ちさせることができる。
この支柱補修法は、手摺支柱だけでなく、屋外体育施設、遊戯施設等にも危険防止のために管体からなる柵が設置されているがこの柵にも適用できる。また、手摺及び柵は、金属製でなくても樹脂製の支柱でも適用できる。
【図面の簡単な説明】
【００３４】
【図１】本発明の支柱補修法の対象とする手摺支柱の断面図
【図２】図１の手摺支柱を用い補修法の手順を説明する断面図
【図３】図１の手摺支柱を用い補修法の手順を説明する断面図
【図４】図１の手摺支柱を用い補修法の手順を説明する断面図
【図５】公知の手摺支柱を示す断面図
【図６】特許文献１に記載された手摺支柱を示す断面図
【図７】特許文献２に記載された欠損部分の補修方法を説明する断面図
【符号の説明】
【００３５】
１０          手摺支柱
１１          金属製中空支柱
１１０          穴
１２          下弦材
１３          笠木
１４          アンカープレート
１５          鉄補強材
１６          添え板
１７          溶接部
１８          コンクリート
１９          塗膜
２０          吸引ポンプ
３０          注入ポンプ
３１          樹脂
【図１】
2005213740.tif 000003
【図２】
2005213740.tif 000004
【図３】
2005213740.tif 000005
【図４】
2005213740.tif 000006
【図５】
2005213740.tif 000007
【図６】
2005213740.tif 000008
【図７】
2005213740.tif 000009